(57)【要約】【課題】無線信号の受信動作を継続しながら、受信動作品質を補正する。【解決手段】信号加算部１５，１６は、アンテナ１１から受信部１３，１４のそれぞれに入力される信号に対して、アンテナ１２によって受信された信号の位相と振幅を調整して加算することにより、アンテナ１１による受信信号に含まれるノイズ成分がキャンセルされるように動作する。制御部１７は、信号加算部１６での位相と振幅を調整する調整パラメータを変化させながら（ステップＳ１）、受信部１４での受信動作品質を取得し（ステップＳ２）、取得した受信動作品質を基に信号加算部１５の調整パラメータを設定する（ステップＳ３）。【選択図】図１
2013051528.tif 000002
【特許請求の範囲】
【請求項１】
第１のアンテナおよび第２のアンテナと、
前記第１のアンテナによって受信された信号をそれぞれ処理する第１の受信部および第２の受信部と、
前記第１のアンテナから前記第１の受信部および前記第２の受信部のそれぞれに入力される信号に対して、前記第２のアンテナによって受信された信号の位相と振幅を調整して加算する第１の信号加算部および第２の信号加算部と、
前記第２の信号加算部での位相と振幅を調整する調整パラメータを変化させながら、前記第２の受信部での受信動作品質を取得し、取得した受信動作品質を基に前記第１の信号加算部の調整パラメータを設定する制御部と、
を有することを特徴とする情報処理装置。
【請求項２】
前記制御部は、
前記第１の信号加算部の調整パラメータを変化させながら前記第１の受信部での受信動作品質を取得する第１の探索処理を実行して、前記第１の探索処理において受信動作品質が最も高くなったときの調整パラメータによって、前記第１の信号加算部の調整パラメータを更新するとともに、
前記第２の信号加算部の調整パラメータを前記第１の探索処理よりも大きい範囲で変化させながら前記第２の受信部での受信動作品質を取得する第２の探索処理を実行して、前記第１の探索処理において前記第１の信号加算部の調整パラメータを変化させる範囲を、前記第２の探索処理において受信動作品質が最も高くなったときの調整パラメータを含む範囲に設定する、
ことを特徴とする請求項１記載の情報処理装置。
【請求項３】
前記制御部は、前記第２の探索処理において受信動作品質が所定値以上になったときの調整パラメータ群を、前記第１の探索処理において前記第１の信号加算部の調整パラメータを変化させる範囲として設定することを特徴とする請求項２記載の情報処理装置。
【請求項４】
前記制御部は、前記第１の探索処理によって取得した受信動作品質の最高値が所定の下限しきい値以上である場合には、前記第２の探索処理を停止することを特徴とする請求項２または３記載の情報処理装置。
【請求項５】
前記制御部は、前記第１の探索処理を実行して前記第１の信号加算部の調整パラメータを更新してから一定時間が経過していない場合には、前記第２の探索処理を停止することを特徴とする請求項２または３記載の情報処理装置。
【請求項６】
前記制御部は、
前記第１の探索処理によって取得した受信動作品質の最高値が所定の下限しきい値以上である場合には、前記第１の受信部が受信中の第１の受信チャネルとは異なる第２の受信チャネルを前記第２の受信部に受信させて、前記第２の信号加算部の調整パラメータを変化させながら前記第２の受信部での受信動作品質を取得する第３の探索処理を実行し、
前記第３の探索処理において受信動作品質が最も高くなったときの調整パラメータを記憶部に登録し、
前記第１の受信部が受信する受信チャネルが前記第２の受信チャネルに切り替えられたとき、前記記憶部に登録された調整パラメータを前記第１の信号加算部の調整パラメータとして設定する、
ことを特徴とする請求項２または３記載の情報処理装置。
【請求項７】
前記制御部は、
前記第１の探索処理を実行して前記第１の信号加算部の調整パラメータを更新してから一定時間が経過していない場合には、前記第１の受信部が受信中の第１の受信チャネルとは異なる第２の受信チャネルを前記第２の受信部に受信させて、前記第２の信号加算部の調整パラメータを変化させながら前記第２の受信部での受信動作品質を取得する第３の探索処理を実行し、
前記第３の探索処理において受信動作品質が最も高くなったときの調整パラメータを記憶部に登録し、
前記第１の受信部が受信する受信チャネルが前記第２の受信チャネルに切り替えられたとき、前記記憶部に登録された調整パラメータを前記第１の信号加算部の調整パラメータとして設定する、
ことを特徴とする請求項２または３記載の情報処理装置。
【請求項８】
第１のアンテナによって受信された信号をそれぞれ処理する第１の受信部および第２の受信部と、
前記第１のアンテナから前記第１の受信部および前記第２の受信部のそれぞれに入力される信号に対して、第２のアンテナによって受信された信号の位相と振幅を調整して加算する第１の信号加算部および第２の信号加算部と、
前記第２の信号加算部での位相と振幅を調整する調整パラメータを変化させながら、前記第２の受信部での受信動作品質を取得し、取得した受信動作品質を基に前記第１の信号加算部の調整パラメータを設定する制御部と、
を有することを特徴とするチューナ装置。
【請求項９】
アンテナによって受信された信号を処理する第１の受信部および第２の受信部を備えた情報処理装置における通信制御方法であって、
前記情報処理装置が備える第１の信号加算部および第２の信号加算部が、第１のアンテナから前記第１の受信部および前記第２の受信部のそれぞれに入力される信号に対して、第２のアンテナによって受信された信号の位相と振幅を調整してそれぞれ加算し、
前記情報処理装置が備える制御部が、前記第２の信号加算部での位相と振幅を調整する調整パラメータを変化させながら、前記第２の受信部での受信動作品質を取得し、取得した受信動作品質を基に前記第１の信号加算部の調整パラメータを設定する、
ことを特徴とする通信制御方法。
【発明の詳細な説明】
【技術分野】
【０００１】
本発明は、情報処理装置、チューナ装置および通信制御方法に関する。
【背景技術】
【０００２】
近年、無線通信機能を備える情報処理装置が広く普及している。また、情報処理装置の内部には、ノイズ発生源となる回路が存在し、このような回路から発生するノイズが、無線通信に対して悪影響を与える場合がある。これに対して、無線通信用のアンテナとは別にノイズ採取用のアンテナを設け、無線通信用のアンテナによる受信信号に、ノイズ採取用アンテナによる受信信号の逆相信号を加算することで、受信信号に重畳されたノイズをキャンセルする技術が考えられている。
【０００３】
また、他の種類のノイズキャンセル技術としては、例えば、ＤＳ−ＣＤＭＡ（Direct Sequence-Code Division Multiple Access）通信方式の無線通信機において、あるユーザの信号の復調に対する他のユーザの干渉の影響を低減する技術がある。さらに、音声信号に対してノイズ源から収音した音声信号の逆相信号を加算することで、音声信号に含まれるノイズ成分を除去する技術もある。
【先行技術文献】
【特許文献】
【０００４】
【特許文献１】特開２００８−５４６３５９号公報
【特許文献２】特開２０００−１８３８５０号公報
【特許文献３】特開平１０−９２１２１号公報
【発明の概要】
【発明が解決しようとする課題】
【０００５】
上記のような無線通信機能を備える情報処理装置では、ノイズ採取用アンテナによる受信信号の逆相信号の特性を調整することで、ノイズキャンセル効果を最適化して復調信号の品質を高めることができる。逆相信号の特性としては、例えば、位相や振幅を変化させることが考えられる。
【０００６】
しかしながら、無線通信機能を備える情報処理装置では、装置の使用状況などによって、装置内の回路からのノイズ発生量が変化する。さらに、周囲の電波状況の変化によって、無線通信用アンテナからの受信信号の状況が変化することもある。このようにノイズ発生量や周囲の電波状況が変化した場合、逆相信号の特性を再調整する必要が生じるが、特性を再調整するためには、特性を変化させて復調信号の品質がどのように変化するかを観察しなければならない。このため、逆相信号の特性の再調整中には、復調信号の品質が一時的に悪化して、無線通信を正常に継続できなくなる可能性があった。
【０００７】
本発明はこのような課題に鑑みてなされたものであり、無線信号の受信動作を継続しながら、受信動作品質を補正できるようにした情報処理装置、チューナ装置および通信制御方法を提供することを目的とする。
【課題を解決するための手段】
【０００８】
上記目的を達成するために、第１のアンテナ、第２のアンテナ、第１の受信部、第２の受信部、第１の信号加算部、第２の信号加算部および制御部を有する情報処理装置が提供される。第１の受信部および第２の受信部は、第１のアンテナによって受信された信号をそれぞれ処理する。第１の信号加算部および第２の信号加算部は、第１のアンテナから第１の受信部および第２の受信部のそれぞれに入力される信号に対して、第２のアンテナによって受信された信号の位相と振幅を調整して加算する。制御部は、第２の信号加算部での位相と振幅を調整する調整パラメータを変化させながら、第２の受信部での受信動作品質を取得し、取得した受信動作品質を基に第１の信号加算部の調整パラメータを設定する。
【０００９】
また、上記目的を達成するために、上記の情報処理装置と同様の第１の受信部、第２の受信部、第１の信号加算部、第２の信号加算部および制御部を有するチューナ装置が提供される。
【００１０】
さらに、上記目的を達成するために、上記の情報処理装置と同様の処理が実行される通信制御方法が提供される。
【発明の効果】
【００１１】
上記の情報処理装置、チューナ装置および通信制御方法によれば、無線信号の受信動作を継続しながら、受信動作品質を補正できる。
【図面の簡単な説明】
【００１２】
【図１】第１の実施の形態に係る情報処理装置の構成例を示す図である。
【図２】第２の実施の形態に係る情報処理装置のハードウェア構成例を示す図である。
【図３】情報処理装置が備える機能の例を示すブロック図である。
【図４】ＴＶチューナボードの内部構成例を示す図である。
【図５】受信帯域テーブルに登録される情報の例を示す図である。
【図６】キャンセル効果テーブルに登録される情報の例を示す図である。
【図７】限定領域テーブルに登録される情報の例を示す図である。
【図８】Ｉ／Ｑ空間と視聴可能領域および限定領域との関係を示す図である。
【図９】メインチューナを用いた調整処理手順の例を示すフローチャートである。
【図１０】サブチューナを用いた調整処理手順の例を示すフローチャートである。
【図１１】ＴＶ視聴中における調整処理の進行状況の例を示すシーケンス図である。
【図１２】第３の実施の形態におけるＴＶチューナボードの内部構成例を示す図である。
【図１３】キャンセル効果テーブルに登録される情報の例を示す図である。
【図１４】メインチューナを用いた調整処理手順を示すフローチャートである。
【図１５】サブチューナを用いた調整処理手順を示すフローチャートである。
【図１６】第４の実施の形態における、サブチューナを用いた調整処理手順を示すフローチャートである。
【発明を実施するための形態】
【００１３】
以下、実施の形態について図面を参照して詳細に説明する。
〔第１の実施の形態〕
図１は、第１の実施の形態に係る情報処理装置の構成例を示す図である。図１に示す情報処理装置１は、アンテナ１１，１２、受信部１３，１４、信号加算部１５，１６および制御部１７を備える。
【００１４】
アンテナ１１は、無線電波を受信する。受信部１３，１４は、ともにアンテナ１１によって受信された信号を処理する。例えば、受信部１３，１４は、アンテナ１１によって受信された信号を基に所定の周波数（受信チャネル）に同調させる機能を備える。あるいは、受信部１３，１４はさらに、同調によって得られた信号から、送信された信号を復調する機能を備えていてもよい。
【００１５】
ここで、受信部１３，１４のうち、受信部１３はメイン機として使用され、受信部１４はサブ機として使用される。例えば、受信部１３によって復調された信号は、情報処理装置１の内部回路に送信されて、送信先の内部回路で使用される。これに対して、受信部１４は、少なくとも後述する受信動作品質を取得するために使用される。
【００１６】
なお、受信部１３，１４は、互いに同じ仕様とされる。例えば、アンテナ１１による受信信号がそのまま受信部１３，１４にそれぞれ入力された場合、受信部１３での受信動作品質は受信部１４での受信動作品質と同様になる。
【００１７】
アンテナ１２は、アンテナ１１による電波の受信に対して影響を与えるようなノイズを採取するために設けられている。このようなノイズは、引き込みノイズなどと呼ばれる。アンテナ１２は、例えば、情報処理装置１内のノイズ発生源２１の近傍に設けられる。ノイズ発生源２１としては、例えば、ＣＰＵ（Central Processing Unit）、グラフィック処理回路などの各種の半導体集積装置などがある。
【００１８】
信号加算部１５は、アンテナ１１から受信部１３に入力される信号に対して、アンテナ１２によって受信された信号の位相と振幅を調整して加算する。信号加算部１５が加算する信号は、アンテナ１１の受信信号に混入する引き込みノイズの逆相信号となるように生成され、これにより、アンテナ１１から受信部１３に入力される信号から、ノイズ成分がキャンセルされる。信号加算部１６は、アンテナ１１から受信部１４に入力される信号に対して、アンテナ１２によって受信された信号の位相と振幅を調整して加算する。信号加算部１６が加算する信号は、アンテナ１１の受信信号に混入する引き込みノイズの逆相信号となるように生成され、これにより、アンテナ１１から受信部１４に入力される信号から、ノイズ成分がキャンセルされる。
【００１９】
なお、信号加算部１５，１６のそれぞれは、例えば、信号の同相成分（Ｉ成分、Ｉ：In-phase）、信号の直交位相成分（Ｑ成分、Ｑ：Quadrature）を調整することで、信号の位相と振幅とを調整する。
【００２０】
また、受信部１３，１４と同様に、信号加算部１５，１６も、互いに同様の仕様とされる。また、信号加算部１５，１６のそれぞれにおいては、例えば、位相と振幅の調整、調整された信号の加算の各機能のうち少なくとも１つの機能が、個別の回路によって実現されていてもよい。
【００２１】
制御部１７は、信号加算部１５での位相と振幅を調整することで、信号加算部１５によるノイズキャンセル効果を適正化して、受信部１３での受信動作品質を向上させる。後述するように、制御部１７は、少なくとも受信部１４から取得した受信動作品質を基に、信号加算部１５に対して適切な調整パラメータを設定する。
【００２２】
ところで、ノイズ発生源２１から発生するノイズの特性（波形、強さなど）は、例えば、ノイズ発生源２１の動作状況によって変化する。信号加算部１５は、ノイズ発生源２１から発生するノイズの特性が変化した場合でも、アンテナ１１から受信部１３に入力される信号からノイズ成分を低減できる。
【００２３】
しかしながら、信号加算部１５でのノイズキャンセル効果は、ノイズ発生源２１以外の環境（例えば、情報処理装置１内の他の回路の動作状況や、情報処理装置１の外部の電波状況など）にも依存する。このため、信号加算部１５での位相と振幅を調整することにより、環境の変化に応じてノイズキャンセル効果をさらに向上させることができる。しかし、信号加算部１５での位相と振幅についての最適な調整パラメータを知るためには、信号加算部１５の調整パラメータを変化させて、受信部１３での受信動作品質が良好になるような調整パラメータを探索しなければならない。このような調整パラメータの探索中には、受信部１３での受信動作品質が一時的に悪化してしまい、受信部１３での正常な受信動作が継続できなくなる場合がある。
【００２４】
これに対して、制御部１７は、次のような手順の調整処理により、信号加算部１５の調整パラメータを、ノイズキャンセル効果が適正化されて受信部１３での受信動作品質が高くなるように調整する。制御部１７は、信号加算部１６での位相と振幅を調整する調整パラメータを変化させながら（ステップＳ１）、受信部１４での受信動作品質を取得する（ステップＳ２）。このステップＳ１，Ｓ２の処理を「探索処理」と呼ぶ。制御部１７は、このような探索処理によって受信部１４から取得した受信動作品質を基に、信号加算部１５の調整パラメータを設定する（ステップＳ３）。
【００２５】
このような調整処理によれば、受信部１３での受信動作を継続しながら、受信部１４および信号加算部１６を用いて探索処理を行い、その探索処理の結果に基づく適切な調整パラメータを信号加算部１５に設定することができる。これにより、例えば受信部１３での受信動作品質を悪化させるなど、受信部１３での受信動作に影響を与えることなく、受信部１３での受信動作品質を補正することができる。
【００２６】
なお、制御部１７は、受信部１４および信号加算部１６を用いた探索処理の処理結果だけでなく、受信部１３および信号加算部１５を用いた探索処理の処理結果も用いて、受信部１３での受信動作品質を補正してもよい。例えば、制御部１７は、信号加算部１５の調整パラメータを変化させながら、受信部１３での受信動作品質を取得する「第１の探索処理」と、信号加算部１６の調整パラメータを変化させながら、受信部１４での受信動作品質を取得する「第２の探索処理」とを実行する。
【００２７】
ここで、制御部１７は、第２の探索処理では、調整パラメータを第１の探索処理よりも大きい範囲で変化させる。また、制御部１７は、第１の探索処理において信号加算部１５の調整パラメータを変化させる範囲を、第２の探索処理において受信動作品質が最も高くなったときの調整パラメータを含む範囲として設定する。そのような設定方法の一例として、制御部１７は、第２の探索処理において受信動作品質が所定値以上になったときの調整パラメータ群を、第１の探索処理において第１の信号加算部の調整パラメータを変化させる範囲として設定してもよい。そして、制御部１７は、第１の探索処理において受信動作品質が最も高くなったときの、信号加算部１５の調整パラメータによって、この信号加算部１５の調整パラメータを更新して最適化する。
【００２８】
このような処理によれば、信号加算部１５の調整パラメータは、信号加算部１６の調整パラメータより狭い範囲で変化するので、第２の探索処理と比較して、第１の探索処理を短い周期で実行できる。このため、ノイズ発生源２１から発生するノイズの状況や、周囲の環境が変化した場合に、受信部１３での受信動作品質を高速に補正できるようになる。また、第１の探索処理の実行中には、信号加算部１５の調整パラメータを変化させるにもかかわらず、受信部１３での受信動作品質が大きく低下しない。すなわち、受信部１３での受信動作に大きな影響を与えることなく、受信部１３での受信動作品質を高速に補正することができる。
【００２９】
一方、第２の探索処理では、第１の探索処理よりも大きな範囲で、信号加算部１６の調整パラメータが変化され、その結果、第１の探索処理において調整パラメータを変化させる範囲が最適化される。このような処理により、例えば、ノイズ発生源２１からのノイズ発生量や、周囲の環境などが大きく変化して、信号加算部１５での最適な調整パラメータが大きく変化した場合でも、受信部１３での受信動作をできるだけ中断させることなく、信号加算部１５の調整パラメータを最適化することができる。
【００３０】
〔第２の実施の形態〕
次に、受信部の例として地上波デジタルＴＶチューナを備えた情報処理装置について説明する。図２は、第２の実施の形態に係る情報処理装置のハードウェア構成例を示す図である。
【００３１】
図２に示す情報処理装置１００は、例えば、ノート型ＰＣとして実現される。情報処理装置１００は、ＣＰＵ１０１によって装置全体が制御されている。ＣＰＵ１０１には、バス１０９を介して、ＲＡＭ（Random Access Memory）１０２と複数の周辺機器が接続されている。
【００３２】
ＲＡＭ１０２は、情報処理装置１００の主記憶装置として使用される。ＲＡＭ１０２には、ＣＰＵ１０１に実行させるＯＳ（Operating System）プログラムやアプリケーションプログラムの少なくとも一部が一時的に格納される。また、ＲＡＭ１０２には、ＣＰＵ１０１による処理に必要な各種データが格納される。
【００３３】
バス１０９に接続されている周辺機器としては、ＨＤＤ（Hard Disk Drive）１０３、グラフィック処理回路１０４、入力インタフェース（Ｉ／Ｆ）１０５、光学ドライブ１０６、ＧＰＳ（Global Positioning System）受信部１０７およびＴＶチューナボード１０８がある。
【００３４】
ＨＤＤ１０３は、内蔵した磁気ディスクに対して、磁気的にデータの書き込みおよび読み出しを行う。ＨＤＤ１０３は、情報処理装置１００の二次記憶装置として使用される。ＨＤＤ１０３には、ＯＳプログラム、アプリケーションプログラム、および各種データが格納される。なお、二次記憶装置としては、フラッシュメモリなどの他の種類の不揮発性記憶装置を使用することもできる。
【００３５】
グラフィック処理回路１０４には、ディスプレイ１０４ａが接続されている。グラフィック処理回路１０４は、ＣＰＵ１０１からの命令に従って、画像をディスプレイ１０４ａに表示させる。なお、ディスプレイ１０４ａは、例えば、液晶ディスプレイである。
【００３６】
入力インタフェース１０５には、入力装置１０５ａが接続されている。入力装置１０５ａは、例えば、キーボード、タッチパッドなどを含む。入力インタフェース１０５は、入力装置１０５ａからの出力信号をＣＰＵ１０１に送信する。
【００３７】
光学ドライブ１０６は、レーザ光などを利用して、光ディスク１０６ａに記録されたデータの読み取りを行う。光ディスク１０６ａは、光の反射によって読み取り可能なようにデータが記録された可搬型の記録媒体である。光ディスク１０６ａには、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（Rewritable）などがある。
【００３８】
ＧＰＳ受信部１０７は、ＧＰＳ衛星からの電波をアンテナ１０７ａを通じて受信し、受信電波から抽出した情報を基に、情報処理装置１００の位置情報（緯度および経度）を算出して、ＣＰＵ１０１に送信する。
【００３９】
ＴＶチューナボード１０８は、地上波デジタルＴＶの電波を受信するための各種の回路が基板上に搭載された無線モジュールである。ＴＶチューナボード１０８は、２つのＴＶチューナ（メインチューナ２０１およびサブチューナ２０２）を備えている。また、ＴＶチューナボード１０８には、アンテナ２０３，２０４が接続されている。
【００４０】
アンテナ２０３は、ＴＶ電波を受信する。メインチューナ２０１およびサブチューナ２０２は、ともに、アンテナ２０３による受信信号を基に、所定の受信チャネルへの同調処理や、映像信号および音声信号を含むＴＶ信号のデジタル復調処理などを行う。
【００４１】
一方、アンテナ２０４は、アンテナ２０３によるＴＶ電波の受信に影響を与えるノイズを採取するためのものであり、情報処理装置１００の内部のノイズ源となる回路や基板の近傍に設けられる。図２の例では、アンテナ２０３はＣＰＵ１０１の近傍に設けられている。後述するように、ＴＶチューナボード１０８は、メインチューナ２０１およびサブチューナ２０２がそれぞれアンテナ２０３を通じて受信する信号に対して、アンテナ２０４による受信信号の逆相信号を加算することで、ノイズをキャンセルする機能を備える。
【００４２】
また、ＴＶチューナボード１０８には、不揮発性のメモリ２０５が搭載されている。メモリ２０５には、例えば、ＴＶチューナボード１０８の処理に必要なテーブル情報などが記録される。
【００４３】
なお、ＴＶチューナボード１０８は、情報処理装置１００に対して挿抜可能であってもよい。この場合、ＴＶチューナボード１０８は、例えば、情報処理装置１００に設けられたＰＣＩ（Peripheral Components Interconnect）Ｅｘｐｒｅｓｓスロットに搭載される。また、ＴＶチューナボード１０８が挿抜可能である場合、例えば、ＴＶチューナボード１０８には、あらかじめ情報処理装置１００の内部に搭載されたアンテナ２０４との接続端子が設けられる。あるいは、ＴＶチューナボード１０８に対してアンテナ２０４があらかじめ搭載されてもよい。
【００４４】
また、ＴＶチューナボード１０８の機能は、情報処理装置１００の外部のチューナ装置に設けられ、このチューナ装置と情報処理装置１００とが通信ケーブルを介して接続されていてもよい。この場合、通信ケーブルとしては、例えばＵＳＢ（Universal Serial Bus）ケーブルなどを使用することができる。
【００４５】
情報処理装置１００は、さらに、電源ユニット１１０を備える。電源ユニット１１０は、外部から、または情報処理装置１００が備えるバッテリ（図示せず）から供給される電源電圧を、所定の電圧に変換して、情報処理装置１００内の各部に供給する。
【００４６】
図３は、情報処理装置が備える機能の例を示すブロック図である。情報処理装置１００は、ＴＶ視聴処理部１２１と位置検出部１２２とを備える。
ＴＶ視聴処理部１２１の処理は、例えば、ＴＶの画像および音声を再生出力するプレーヤのアプリケーションプログラムを、ＣＰＵ１０１が実行することによって実現される。ＴＶ視聴処理部１２１は、ＴＶチューナボード１０８内のメインチューナ２０１によって復調されたＴＶ信号を受信して、ＴＶの画像および音声を再生する。また、プレーヤのアプリケーションプログラムが起動されることでＴＶ視聴処理部１２１の処理が開始されると、ＴＶ視聴処理部１２１は、ＴＶチューナボード１０８のメインチューナ２０１に対して、受信チャネルを指定する。
【００４７】
なお、上記のように、情報処理装置１００におけるＴＶの画像および音声の再生は、メインチューナ２０１によって復調されたＴＶ信号を用いて行われる。これに対して、サブチューナ２０２は、主として、メインチューナ２０１による受信状態が適切になるようにノイズキャンセル機能を調整するために用いられる。
【００４８】
位置検出部１２２の処理は、例えば、ＧＰＳ受信部１０７のドライバプログラムをＣＰＵ１０１が実行することによって実現される。位置検出部１２２は、ＧＰＳ受信部１０７によって算出された、情報処理装置１００の位置情報（緯度および経度）を、少なくともＴＶチューナボード１０８に出力する。なお、位置情報の算出処理は、ＧＰＳ受信部１０７の代わりに位置検出部１２２によって行われてもよい。
【００４９】
図４は、ＴＶチューナボードの内部構成例を示す図である。
ＴＶチューナボード１０８は、前述したメインチューナ２０１およびサブチューナ２０２の他、Ｉ／Ｑ調整部２１１，２１２、信号加算器２１３，２１４、Ｉ／Ｑ調整制御部２２１、チャネル設定部２２２、通信品質取得部２２３およびテーブル設定部２２４を備える。なお、これらの各処理ブロックは、例えば、専用の回路によって実現される。また、例えば、ＴＶチューナボード１０８にＣＰＵが搭載されている場合、Ｉ／Ｑ調整制御部２２１、チャネル設定部２２２、通信品質取得部２２３およびテーブル設定部２２４の処理のうちの少なくとも一部は、ＴＶチューナボード１０８内のＣＰＵが所定のファームウェアプログラムを実行することによって実現されてもよい。
【００５０】
また、ＴＶチューナボード１０８上のメモリ２０５（図２参照）には、受信帯域テーブル２３０、キャンセル効果テーブル２４０および限定領域テーブル２５０が記憶されている。なお、キャンセル効果テーブル２４０および限定領域テーブル２５０は、揮発性の記憶装置に記憶されてもよい。
【００５１】
前述のように、メインチューナ２０１およびサブチューナ２０２は、ともに、アンテナ２０３による受信信号を基に、所定の受信チャネルへの同調処理や、映像信号および音声信号を含むＴＶ信号のデジタル復調処理などを行う。なお、メインチューナ２０１およびサブチューナ２０２は、復調した信号から画像データおよび音声データをデコードする機能をさらに備えていてもよい。
【００５２】
Ｉ／Ｑ調整部２１１，２１２は、ともに、アンテナ２０４による受信信号の逆相信号を生成する。さらに、Ｉ／Ｑ調整部２１１，２１２は、Ｉ／Ｑ調整制御部２２１からの制御の下で、生成した逆相信号のＩ成分およびＱ成分を調整する（すなわち、Ｉ／Ｑ変調する）。以下、Ｉ／Ｑ調整制御部２２１からＩ／Ｑ調整部２１１，２１２に設定されるＩ成分およびＱ成分の各調整パラメータを、ＩパラメータおよびＱパラメータと呼ぶ。
【００５３】
信号加算器２１３は、アンテナ２０３からメインチューナ２０１に入力される信号に対して、Ｉ／Ｑ調整部２１１から出力された逆相信号を加算する。信号加算器２１４は、アンテナ２０３からサブチューナ２０２に入力される信号に対して、Ｉ／Ｑ調整部２１２から出力された逆相信号を加算する。
【００５４】
ここで、メインチューナ２０１およびサブチューナ２０２は、それぞれ同一のアンテナ２０３から信号の供給を受ける。一方、信号加算器２１３，２１４は、それぞれメインチューナ２０１およびサブチューナ２０２に入力される信号に対して、個別に逆相信号を加算する。このような動作を実現する例として、アンテナ２０３の信号線は分岐点２０３ａにおいて信号線２０３ｂ，２０３ｃに分岐され、信号線２０３ｂ上に信号加算器２１３が配置され、信号線２０３ｃ上に信号加算器２１４が配置される。
【００５５】
なお、Ｉ／Ｑ調整部２１１，２１２は、アンテナ２０４による受信信号に対してＩ成分およびＱ成分の調整を施し、調整後の信号の逆相信号を生成する構成であってもよい。また、信号加算器２１３，２１４に、Ｉ／Ｑ調整部２１１，２１２から出力される信号の逆相信号を生成する機能が設けられていてもよい。
【００５６】
Ｉ／Ｑ調整制御部２２１は、メインチューナ２０１での通信品質が良好になるようにＩ／Ｑ調整部２１１のＩ／Ｑパラメータを調整するパラメータ調整処理を、統括的に制御する。このＩ／Ｑ調整制御部２２１の詳しい処理については後述する。
【００５７】
チャネル設定部２２２は、ＴＶ視聴処理部１２１から視聴するチャネルを指定する情報を受信して、指定されたチャネルをメインチューナ２０１に設定する。また、チャネル設定部２２２は、ＴＶ視聴処理部１２１から指定されたチャネルをＩ／Ｑ調整制御部２２１に通知する。
【００５８】
さらに、チャネル設定部２２２は、メインチューナ２０１がＴＶ視聴処理部１２１に使用されているか否か（すなわち、メインチューナ２０１によって受信されて復調されたＴＶ信号に基づいてＴＶの視聴が行われているか否か）を、Ｉ／Ｑ調整制御部２２１に通知することもできる。チャネル設定部２２２は、ＴＶ視聴処理部１２１から視聴するチャネルが指定されている状態では、メインチューナ２０１がＴＶ視聴処理部１２１に使用されていると判定する。なお、例えば、実行中のアプリケーションプログラムを管理する機能が、ＯＳの実行などによって実現されている場合には、チャネル設定部２２２は、メインチューナ２０１がＴＶ視聴処理部１２１に使用されているか否かを、その管理機能に問い合わせてもよい。
【００５９】
また、チャネル設定部２２２は、Ｉ／Ｑ調整制御部２２１から指定されたチャネルを、メインチューナ２０１およびサブチューナ２０２に対して個別に設定することもできる。ただし、チャネル設定部２２２は、メインチューナ２０１については、Ｉ／Ｑ調整制御部２２１から指定されたチャネルより、ＴＶ視聴処理部１２１から指定されたチャネルを優先的に設定する。
【００６０】
また、チャネル設定部２２２は、受信帯域テーブル２３０を参照することで、情報処理装置１００が配置された場所において受信可能なチャネルを認識して、Ｉ／Ｑ調整制御部２２１に通知することができる。
【００６１】
ここで、図５は、受信帯域テーブルに登録される情報の例を示す図である。受信帯域テーブル２３０には、位置情報と、位置情報が示す場所において受信可能なチャネルの一覧とが登録されている。位置情報としては、緯度と経度との組み合わせが登録されている。
【００６２】
チャネル設定部２２２は、位置検出部１２２から現在位置の位置情報（緯度、経度）を取得し、取得した位置情報に最も近い位置情報に対応付けられたチャネルの一覧を、受信帯域テーブル２３０から読み込む。
【００６３】
なお、現在位置の取得方法としては、他の方法が用いられてもよい。例えば、情報処理装置１００が携帯電話機能を備えている場合、チャネル設定部２２２は、携帯電話機能によって受信された基地局情報を、現在位置を示す情報として取得してもよい。あるいは、チャネル設定部２２２は、現在の場所において受信可能なチャネルを、位置情報を用いずに判定してもよい。例えば、チャネル設定部２２２は、メインチューナ２０１およびサブチューナ２０２の少なくとも一方における受信周波数を変化させていき、ＴＶ画像を復調できた周波数を探索してもよい。
【００６４】
以下、図４に戻って説明する。
通信品質取得部２２３は、メインチューナ２０１およびサブチューナ２０２における通信品質を取得して、テーブル設定部２２４に通知する。本実施の形態では、通信品質は、メインチューナ２０１、サブチューナ２０２のそれぞれにおける同調処理によって得られた、１チャネルの信号強度（単位：ｄＢ）を示す。なお、通信品質としては、他に例えば、同調処理によって得られた信号におけるＳ／Ｎ（Signal/Noise）比、あるいは復調信号におけるＢＥＲ（Bit Error Rate）などが用いられてもよい。
【００６５】
テーブル設定部２２４は、Ｉ／Ｑ調整制御部２２１による制御の下で、キャンセル効果テーブル２４０および限定領域テーブル２５０に対して情報を登録する。キャンセル効果テーブル２４０には、Ｉ／Ｑ調整部２１１，２１２に対して設定可能なＩパラメータおよびＱパラメータのすべての組み合わせに対応付けて、通信品質が登録される。テーブル設定部２２４は、Ｉ／Ｑ調整制御部２２１から、Ｉ／Ｑ調整部２１１，２１２のいずれかに対して設定されたＩ／Ｑパラメータの通知を受けると、この時点でのメインチューナ２０１またはサブチューナ２０２での通信品質を、通信品質取得部２２３から受信する。テーブル設定部２２４は、キャンセル効果テーブル２４０に対して、通信品質取得部２２３から受信した通信品質を、Ｉ／Ｑ調整制御部２２１から通知されたＩ／Ｑパラメータに対応づけて登録する。さらに、テーブル設定部２２４は、キャンセル効果テーブル２４０において通信品質が一定値以上であるＩ／Ｑパラメータの組み合わせを、限定領域テーブル２５０に登録する。
【００６６】
ここで、キャンセル効果テーブル２４０および限定領域テーブル２５０について説明する。まず、図６は、キャンセル効果テーブルに登録される情報の例を示す図である。
キャンセル効果テーブル２４０は、チャネルごとのレコード２４１を備える。各レコード２４１には、Ｉ／Ｑ調整部２１１，２１２に設定可能なＩパラメータおよびＱパラメータの全組み合わせがあらかじめ登録されている。そして、テーブル設定部２２４の処理により、ＩパラメータおよびＱパラメータの各組み合わせに対応付けて、通信品質を示す値が登録される。
【００６７】
図７は、限定領域テーブルに登録される情報の例を示す図である。
限定領域テーブル２５０は、キャンセル効果テーブル２４０と同様に、チャネルごとのレコード２５１を備える。各レコード２５１には、テーブル設定部２２４の処理により、キャンセル効果テーブル２４０における同じチャネルに対応するレコード２４１において、通信品質が所定のしきい値（例えば１４ｄＢ）以上であるＩパラメータおよびＱパラメータの組み合わせが登録される。
【００６８】
図８は、Ｉ／Ｑ空間と視聴可能領域および限定領域との関係を示す図である。
図８に示すＩ／Ｑ空間Ａ１は、Ｉ／Ｑ調整部２１１，２１２に設定可能なＩパラメータを横軸にとるとともに、Ｉ／Ｑ調整部２１１，２１２に設定可能なＱパラメータを縦軸にとることによって生成される空間である。キャンセル効果テーブル２４０には、このＩ／Ｑ空間Ａ１に含まれるＩパラメータおよびＱパラメータのすべての組み合わせが登録される。
【００６９】
また、図８に示す視聴可能領域Ａ２は、メインチューナ２０１（またはサブチューナ２０２）による復調信号を基にＴＶ画像およびＴＶ音声を再生できるような、ＩパラメータとＱパラメータとの組み合わせによって生成される領域である。すなわち、ＩパラメータおよびＱパラメータが視聴可能領域Ａ２に含まれる場合に、ユーザは情報処理装置１００のディスプレイ１０４ａを通じてＴＶ画像を視聴することができる。
【００７０】
なお、Ｉ／Ｑ空間Ａ１における視聴可能領域Ａ２の形状は、図８に示すような円形に限らない。また、視聴可能領域Ａ２の位置や形状は、ノイズ発生源からのノイズ発生状況や、情報処理装置１００の周囲の状況などによって変化する。
【００７１】
図８に示す限定領域Ａ３は、限定領域テーブル２５０に登録されるＩパラメータおよびＱパラメータの組み合わせによって生成される領域である。限定領域Ａ３は、視聴可能領域Ａ２に包含され、かつ、視聴可能領域Ａ２より狭い領域である。なお、限定領域Ａ３の形状は、図８に示すような矩形形状に限らない。
【００７２】
この限定領域Ａ３に含まれるＩパラメータおよびＱパラメータをＩ／Ｑ調整部２１１に設定したときにメインチューナ２０１で得られる通信品質の最低値（例えば１４ｄＢ）は、視聴可能領域Ａ２に含まれるＩパラメータおよびＱパラメータをＩ／Ｑ調整部２１１に設定したときにメインチューナ２０１で得られる通信品質の最低値（例えば１０ｄＢ）より大きい。従って、限定領域Ａ３には、通信品質が最も高くなるようなＩパラメータとＱパラメータとの組み合わせが含まれる。
【００７３】
また、例えば、視聴可能領域Ａ２のうちその外縁部に近い領域に対応するＩパラメータおよびＱパラメータをＩ／Ｑ調整部２１１に設定した場合には、ＴＶ画像およびＴＶ音声の再生が可能であるものの、安定的に再生し続けられるとは限らない。これに対して、限定領域Ａ３に含まれるＩパラメータおよびＱパラメータをＩ／Ｑ調整部２１１に設定した場合には、ＴＶ画像およびＴＶ音声をより安定的に再生することができる。
【００７４】
ここで、Ｉ／Ｑ調整制御部２２１によるパラメータ調整処理について説明する。メインチューナ２０１からの復調信号を基にＴＶ画像およびＴＶ音声の再生が行われているとき（以下、「ＴＶが視聴されているとき」と言う）、Ｉ／Ｑ調整制御部２２１は、メインチューナ２０１およびＩ／Ｑ調整部２１１と、サブチューナ２０２およびＩ／Ｑ調整部２１２のそれぞれを用いて、異なる探索処理を実行する。
【００７５】
Ｉ／Ｑ調整制御部２２１は、サブチューナ２０２およびＩ／Ｑ調整部２１２を用いて、Ｉ／Ｑ空間Ａ１内の全領域において通信品質を取得する「全領域探索処理」を実行する。この全領域探索処理により、キャンセル効果テーブル２４０における視聴中のチャネルに対応するレコード２４１が更新される。
【００７６】
より具体的には、全領域探索処理では、Ｉ／Ｑ調整制御部２２１は、キャンセル効果テーブル２４０に登録されたＩパラメータおよびＱパラメータの全組み合わせを、Ｉ／Ｑ調整部２１２に順次設定していく。テーブル設定部２２４は、Ｉ／Ｑ調整制御部２２１によって１組のＩパラメータおよびＱパラメータが設定されるたびに、サブチューナ２０２での通信品質を、通信品質取得部２２３を通じて取得する。そして、テーブル設定部２２４は、キャンセル効果テーブル２４０における視聴中のチャネルに対応するレコード２４１において、Ｉ／Ｑ調整制御部２２１により設定されたＩパラメータおよびＱパラメータに対応付けて、取得した通信品質を登録する。
【００７７】
以上の全領域探索処理が完了すると、限定領域テーブル２５０における視聴中のチャネルに対応するレコード２４１の全体が更新される。具体的には、テーブル設定部２２４は、Ｉ／Ｑ空間Ａ１内の全領域についての通信品質の登録が完了すると、登録が完了したキャンセル効果テーブル２４０のレコード２４１から、通信品質が所定値以上であるＩパラメータとＱパラメータとの組み合わせを抽出する。テーブル設定部２２４は、抽出したＩパラメータとＱパラメータとの組み合わせを、限定領域テーブル２５０における視聴中のチャネルに対応するレコード２５１に上書き登録する。
【００７８】
一方、Ｉ／Ｑ調整制御部２２１は、メインチューナ２０１およびＩ／Ｑ調整部２１１を用いて、限定領域Ａ３において通信品質を取得する「限定領域探索処理」を実行する。この限定領域探索処理では、Ｉ／Ｑ調整制御部２２１は、限定領域テーブル２５０に登録されたＩパラメータおよびＱパラメータの全組み合わせを、Ｉ／Ｑ調整部２１１に順次設定していく。そして、Ｉ／Ｑ調整制御部２２１は、Ｉ／Ｑ調整部２１１に１組のＩパラメータおよびＱパラメータを設定するたびに、メインチューナ２０１での通信品質を、通信品質取得部２２３を通じて取得する。
【００７９】
Ｉ／Ｑ調整制御部２２１は、上記のような限定領域探索処理において最も高い通信品質を取得したときのＩパラメータおよびＱパラメータを、Ｉ／Ｑ調整部２１１に設定する。
以上のパラメータ調整処理においては、サブチューナ２０２を用いた全領域探索処理によって限定領域Ａ３が判定され、メインチューナ２０１を用いた限定領域探索処理によって、限定領域Ａ３内で最も高い通信品質となるＩパラメータおよびＱパラメータが決定される。図８で説明したように、限定領域Ａ３に含まれるＩパラメータおよびＱパラメータをＩ／Ｑ調整部２１１に設定した場合には、ＴＶを安定的に視聴できる。このため、限定領域探索処理では、ＴＶを安定的に視聴できる状態のまま、ＩパラメータおよびＱパラメータの最適値を決定することができる。
【００８０】
また、全領域探索処理と限定領域探索処理とは並列に実行できるが、限定領域探索処理は、全領域探索処理と比較してパラメータの設定数が少ないことから、より短時間で実行できる。このため、限定領域探索処理に基づいてＩパラメータおよびＱパラメータの最適値を決定することで、より短い周期で最適値を更新できるようになる。従って、例えば、ノイズ源となる回路の動作状況や周囲の環境が短い周期で変化した場合でも、ＩパラメータおよびＱパラメータの最適値を追従させることができ、高いノイズキャンセル効果を維持できるようになる。
【００８１】
一方、サブチューナ２０２を用いた全領域探索処理に基づいて限定領域を更新することで、通信品質が最も高くなるＩパラメータとＱパラメータとの組み合わせが常に限定領域に含まれるように、限定領域を更新することができる。従って、ＴＶの視聴を安定的に継続させることができる。
【００８２】
なお、ＴＶが視聴されていないとき、Ｉ／Ｑ調整制御部２２１は、メインチューナ２０１およびサブチューナ２０２の両方を用いて、現在位置において視聴可能な全チャネルについての全領域探索処理を実行する。このような全領域探索処理の結果に基づいて、テーブル設定部２２４は、キャンセル効果テーブル２４０における全チャネルのレコード２４１を更新する。これにより、その後にＴＶの視聴が開始されたとき、視聴されるチャネルに対応するＩパラメータおよびＱパラメータの最適値を、キャンセル効果テーブル２４０から即座に決定できるようになる。
【００８３】
次に、パラメータ調整処理についてフローチャートを用いて説明する。ここでは、メインチューナ２０１（およびＩ／Ｑ調整部２１１）を用いた調整処理と、サブチューナ２０２（およびＩ／Ｑ調整部２１２）を用いた調整処理とを、個別のフローチャートを用いて説明する。
【００８４】
まず、図９は、メインチューナを用いた調整処理手順の例を示すフローチャートである。なお、図９に示す処理では、視聴中フラグというフラグ情報が使用される。視聴中フラグは、例えば、メモリ２０５、あるいはＴＶチューナボード１０８に搭載された図示しないＲＡＭなどに記憶され、その初期値は「０」である。
【００８５】
［ステップＳ１１］Ｉ／Ｑ調整制御部２２１は、現在ＴＶの視聴中であるかを判定する。具体的には、Ｉ／Ｑ調整制御部２２１は、ＴＶの視聴中であるかをチャネル設定部２２２に問い合わせる。チャネル設定部２２２は、視聴チャネルがＴＶ視聴処理部１２１から指定されている状態では、ＴＶの視聴中であることをＩ／Ｑ調整制御部２２１に通知する一方、視聴チャネルが指定されていない状態では、ＴＶの視聴中でないことをＩ／Ｑ調整制御部２２１に通知する。
【００８６】
Ｉ／Ｑ調整部２１１は、ＴＶ視聴中である場合には、ステップＳ１７の処理を実行する一方、ＴＶ視聴中でない場合には、ステップＳ１２の処理を実行する。
［ステップＳ１２］Ｉ／Ｑ調整制御部２２１は、視聴中フラグを参照し、視聴中フラグが「０」である場合、ステップＳ１４の処理を実行する一方、視聴中フラグが「１」である場合、ステップＳ１３の処理を実行する。
【００８７】
［ステップＳ１３］ステップＳ１２で視聴中フラグが「１」である状態とは、ＴＶの視聴が終了された直後の状態である。このとき、Ｉ／Ｑ調整制御部２２１は、視聴中フラグを「０」に更新する。
【００８８】
［ステップＳ１４］Ｉ／Ｑ調整制御部２２１は、現在位置において受信可能なチャネルを、チャネル設定部２２２に問い合わせる。チャネル設定部２２２は、位置検出部１２２から通知された位置情報に対応するチャネルの一覧を受信帯域テーブル２３０から抽出し、抽出したチャネルの一覧をＩ／Ｑ調整制御部２２１に通知する。
【００８９】
［ステップＳ１５］Ｉ／Ｑ調整制御部２２１は、チャネル設定部２２２から通知された、受信可能なチャネルのそれぞれについて、メインチューナ２０１およびＩ／Ｑ調整部２１１を用いて全領域探索処理を実行する。そして、Ｉ／Ｑ調整制御部２２１は、テーブル設定部２２４に、キャンセル効果テーブル２４０を更新させる。
【００９０】
具体的には、Ｉ／Ｑ調整制御部２２１は、受信可能なチャネルの１つをメインチューナ２０１に設定するとともに、設定したチャネルをテーブル設定部２２４に通知する。Ｉ／Ｑ調整制御部２２１は、キャンセル効果テーブル２４０に登録されたＩパラメータおよびＱパラメータの全組み合わせを、Ｉ／Ｑ調整部２１１に順次設定していく。これとともに、Ｉ／Ｑ調整制御部２２１は、設定したパラメータをテーブル設定部２２４にも通知して、キャンセル効果テーブル２４０への通信品質の登録を要求する。
【００９１】
テーブル設定部２２４は、Ｉ／Ｑ調整制御部２２１によって１組のＩパラメータおよびＱパラメータが設定されるたびに、メインチューナ２０１での通信品質を、通信品質取得部２２３を通じて取得する。テーブル設定部２２４は、キャンセル効果テーブル２４０における、メインチューナ２０１に設定したチャネルに対応するレコード２４１において、Ｉ／Ｑ調整制御部２２１から通知されたＩパラメータおよびＱパラメータに対応付けて、取得した通信品質を上書き登録する。
【００９２】
Ｉ／Ｑ調整制御部２２１は、キャンセル効果テーブル２４０における１チャネル分のレコード２４１の更新が終了すると、メインチューナ２０１に設定するチャネルを変えて、上記と同様の処理を実行する。これにより、キャンセル効果テーブル２４０における全レコード２４１が更新される。
【００９３】
［ステップＳ１６］Ｉ／Ｑ調整制御部２２１は、テーブル設定部２２４に、限定領域テーブル２５０における全チャネルについてのレコード２５１を更新するように要求する。テーブル設定部２２４は、キャンセル効果テーブル２４０から１つのレコード２５１を選択し、選択したレコード２５１から、通信品質が所定値以上であるＩパラメータとＱパラメータとの組み合わせを抽出する。テーブル設定部２２４は、抽出したＩパラメータとＱパラメータとの組み合わせを、限定領域テーブル２５０における同じチャネルに対応するレコード２５１に上書き登録する。テーブル設定部２２４は、以上のようなレコード２５１の更新処理を、全チャネルについて実行する。
【００９４】
ステップＳ１６の処理が終了すると、ステップＳ１１の処理が実行される。
なお、ステップＳ１５，Ｓ１６では、テーブル設定部２２４は、キャンセル効果テーブル２４０における１チャネル分のレコード２４１の更新が完了するたびに、更新したレコード２４１に基づいて限定領域テーブル２５０の対応するレコード２５１を更新してもよい。
【００９５】
また、ステップＳ１４では、Ｉ／Ｑ調整制御部２２１は、受信可能なチャネルを、メモリ２０５などの記憶装置から読み出すことで取得してもよい。この場合、チャネル設定部２２２は、例えば、所定の周期で位置検出部１２２から位置情報を取得して、位置情報に対応する受信可能なチャネルを受信帯域テーブル２３０から読み出す。そして、チャネル設定部２２２は、読み出したチャネルによって、記憶装置に記憶されたチャネルを更新する。記憶装置に記憶されたチャネルを更新する周期は、図９のステップＳ１１が実行される間隔より長くすることができる。
【００９６】
また、受信可能なチャネルを記憶装置から読み出すようにした場合、例えば、ステップＳ１４〜Ｓ１６の処理を１回実行するたびに、記憶装置に記憶されたうちの１つのチャネルについての処理が行われてもよい。例えば、ＴＶ視聴中でない場合には、ステップＳ１４〜Ｓ１６が繰り返し実行されるが、このような状況では、ステップＳ１４〜Ｓ１６が実行されるたびに、記憶装置から異なるチャネルが読み出されて、読み出されたチャネルについての処理が行われてもよい。
【００９７】
［ステップＳ１７］Ｉ／Ｑ調整制御部２２１は、現在視聴中のチャネルをチャネル設定部２２２に問い合わせる。チャネル設定部２２２は、ＴＶ視聴処理部１２１から現在指定されているチャネルを、Ｉ／Ｑ調整制御部２２１に通知する。なお、このときチャネル設定部２２２から通知されるチャネルは、チャネル設定部２２２がＴＶ視聴処理部１２１からの指定に応じてメインチューナ２０１に設定しているチャネルである。
【００９８】
［ステップＳ１８］Ｉ／Ｑ調整制御部２２１は、視聴中フラグを参照し、視聴中フラグが「１」である場合、ステップＳ２１の処理を実行する一方、視聴中フラグが「０」である場合、ステップＳ１９の処理を実行する。
【００９９】
［ステップＳ１９］ステップＳ１８で視聴中フラグが「０」である状態とは、ＴＶの視聴が開始された直後の状態である。このとき、Ｉ／Ｑ調整制御部２２１は、視聴中フラグを「１」に更新する。
【０１００】
［ステップＳ２０］Ｉ／Ｑ調整制御部２２１は、キャンセル効果テーブル２４０における視聴中のチャネルに対応するレコード２４１を参照し、最も高い通信品質に対応付けられたＩパラメータとＱパラメータとの組み合わせを読み出す。Ｉ／Ｑ調整制御部２２１は、読み出したＩパラメータおよびＱパラメータをＩ／Ｑ調整部２１１に設定する。これにより、Ｉ／Ｑ調整部２１１によるノイズキャンセル効果が最も高くなるようにパラメータが最適化される。
【０１０１】
なお、ステップＳ１９，Ｓ２０の処理順が逆であってもよい。
［ステップＳ２１］Ｉ／Ｑ調整制御部２２１は、視聴中のチャネルについて、メインチューナ２０１およびＩ／Ｑ調整部２１１を用いて限定領域探索処理を実行する。
【０１０２】
具体的には、Ｉ／Ｑ調整制御部２２１は、限定領域テーブル２５０に登録されたＩパラメータおよびＱパラメータの全組み合わせを、Ｉ／Ｑ調整部２１１に順次設定していく。Ｉ／Ｑ調整制御部２２１は、Ｉ／Ｑ調整部２１１に１組のＩパラメータおよびＱパラメータを設定するたびに、メインチューナ２０１での通信品質を、通信品質取得部２２３を通じて取得する。
【０１０３】
［ステップＳ２２］Ｉ／Ｑ調整制御部２２１は、ステップＳ２１の限定領域探索処理において最も高い通信品質を取得したときに、Ｉ／Ｑ調整部２１１に設定していたＩパラメータおよびＱパラメータを、Ｉ／Ｑ最適値としてＩ／Ｑ調整部２１１に設定する。
【０１０４】
ステップＳ２２の処理が終了すると、ステップＳ１１の処理が実行される。
以上の図９では、ＴＶ視聴中でない場合には、受信可能な全チャネルについての全領域探索処理が実行され、キャンセル効果テーブル２４０および限定領域テーブル２５０における全チャネルのレコードが更新される（ステップＳ１４〜Ｓ１６）。そして、ＴＶの視聴が開始されると、Ｉ／Ｑ調整制御部２２１は、視聴が開始される直前に更新されたキャンセル効果テーブル２４０に基づいて、Ｉ／Ｑ調整部２１１に対して最適なパラメータを設定する（ステップＳ２０）。これにより、ＴＶの視聴が開始された直後でも、Ｉ／Ｑ調整部２１１に対して最適なパラメータを即座に設定でき、良好なノイズキャンセル効果を得ることができる。
【０１０５】
さらに、Ｉ／Ｑ調整制御部２２１は、Ｉ／Ｑ調整部２１１に最適なパラメータを設定した後、限定領域テーブル２５０に基づいて視聴中のチャネルについての限定領域探索処理を実行し、その処理結果を基にＩ／Ｑ調整部２１１のパラメータを最適化する（ステップＳ２１，Ｓ２２）。このときの限定領域探索処理は、視聴が開始される前に更新された限定領域テーブル２５０に基づいて行われる。このため、ＴＶの視聴が開始された直後であるにもかかわらず、通信品質が最も高くなるようなＩパラメータとＱパラメータとの組み合わせを含むように、限定領域が設定される可能性が高くなる。従って、Ｉ／Ｑ調整部２１１に設定するパラメータを、ノイズ源となる回路の動作状況や周囲の環境の変化に対して即座に追従させることができる。
【０１０６】
なお、図９においては、ステップＳ１８〜Ｓ２０を実行しないようにしてもよい。この場合、Ｉ／Ｑ調整部２１１に対する最適なパラメータの設定が、ＴＶ視聴が開始されてから限定領域探索処理の実行時間分だけ遅延するものの、限定領域探索処理後には適切な限定領域を設定できる。このため、ＴＶの視聴を短時間で正常に開始できるようになる。なお、ステップＳ１８〜Ｓ２０を実行しない場合には、視聴中フラグが不要になるとともに、ステップＳ１２，Ｓ１３の処理も不要になる。
【０１０７】
図１０は、サブチューナを用いた調整処理手順の例を示すフローチャートである。
［ステップＳ３１］Ｉ／Ｑ調整制御部２２１は、図９のステップＳ１１と同様の手順により、現在ＴＶの視聴中であるかを判定する。Ｉ／Ｑ調整部２１１は、ＴＶ視聴中である場合には、ステップＳ３５の処理を実行する一方、ＴＶ視聴中でない場合には、ステップＳ３２の処理を実行する。
【０１０８】
［ステップＳ３２］Ｉ／Ｑ調整制御部２２１は、図９のステップＳ１４と同様の手順により、現在位置において受信可能なチャネルをチャネル設定部２２２から取得する。
［ステップＳ３３］Ｉ／Ｑ調整制御部２２１は、受信可能なチャネルのそれぞれについて、サブチューナ２０２およびＩ／Ｑ調整部２１２を用いて全領域探索処理を実行する。そして、Ｉ／Ｑ調整制御部２２１は、テーブル設定部２２４に、キャンセル効果テーブル２４０を更新させる。このステップＳ３３での処理手順は、メインチューナ２０１およびＩ／Ｑ調整部２１１の代わりにサブチューナ２０２およびＩ／Ｑ調整部２１２を用いること以外は、図９のステップＳ１５と同様である。
【０１０９】
［ステップＳ３４］Ｉ／Ｑ調整制御部２２１は、図９のステップＳ１６と同様の手順により、テーブル設定部２２４に、限定領域テーブル２５０における全チャネルについてのレコード２５１を更新させる。
【０１１０】
なお、上記のステップＳ３２では、図９のステップＳ１４と同様に、Ｉ／Ｑ調整制御部２２１は、受信可能なチャネルを、メモリ２０５などの記憶装置から読み出すことで取得してもよい。さらに、例えば、ＴＶ視聴中でないことからステップＳ３２〜Ｓ３４が繰り返し実行される状況では、ステップＳ３２〜Ｓ３４の処理を１回実行するたびに、記憶装置からその都度異なる１つのチャネルが読み出され、読み出されたチャネルについての処理が行われてもよい。
【０１１１】
また、ＴＶ視聴中でない状態では、図９のステップＳ１４〜Ｓ１６の処理と並行して、図１０のステップＳ３２〜Ｓ３４の処理も実行される。Ｉ／Ｑ調整制御部２２１は、ステップＳ１４〜Ｓ１６と、ステップＳ３２〜Ｓ３４とで、それぞれ全領域探索処理の対象とするチャネルが重ならないように制御することが望ましい。これにより、全チャネルについてのキャンセル効果テーブル２４０および限定領域テーブル２５０の更新処理に要する時間を、約１／２に短縮することができる。
【０１１２】
［ステップＳ３５］Ｉ／Ｑ調整制御部２２１は、図９のステップＳ１７と同様の手順により、現在視聴中のチャネルをチャネル設定部２２２から取得する。
［ステップＳ３６］Ｉ／Ｑ調整制御部２２１は、視聴中のチャネルについて、サブチューナ２０２およびＩ／Ｑ調整部２１２を用いて全領域探索処理を実行する。そして、Ｉ／Ｑ調整制御部２２１は、テーブル設定部２２４に視聴中のチャネルを通知して、キャンセル効果テーブル２４０の更新を要求する。
【０１１３】
具体的には、Ｉ／Ｑ調整制御部２２１は、キャンセル効果テーブル２４０に登録されたＩパラメータおよびＱパラメータの全組み合わせを、Ｉ／Ｑ調整部２１２に順次設定していく。これとともに、Ｉ／Ｑ調整制御部２２１は、設定したパラメータをテーブル設定部２２４にも通知して、キャンセル効果テーブル２４０への通信品質の登録を要求する。
【０１１４】
テーブル設定部２２４は、Ｉ／Ｑ調整制御部２２１によって１組のＩパラメータおよびＱパラメータが設定されるたびに、サブチューナ２０２での通信品質を、通信品質取得部２２３を通じて取得する。テーブル設定部２２４は、キャンセル効果テーブル２４０における視聴中のチャネルに対応するレコード２４１において、Ｉ／Ｑ調整制御部２２１から通知されたＩパラメータおよびＱパラメータに対応付けて、取得した通信品質を上書き登録する。
【０１１５】
［ステップＳ３７］Ｉ／Ｑ調整制御部２２１は、テーブル設定部２２４に、限定領域テーブル２５０における視聴中のチャネルについてのレコード２５１を更新するように要求する。テーブル設定部２２４は、キャンセル効果テーブル２４０における視聴中のチャネルに対応するレコード２５１から、通信品質が所定値以上であるＩパラメータとＱパラメータとの組み合わせを抽出する。テーブル設定部２２４は、抽出したＩパラメータとＱパラメータとの組み合わせを、限定領域テーブル２５０における視聴中のチャネルに対応するレコード２５１に上書き登録する。
【０１１６】
ステップＳ３７の処理が終了すると、ステップＳ３１の処理が実行される。
ここで、図１１は、ＴＶ視聴中における調整処理の進行状況の例を示すシーケンス図である。
【０１１７】
図１１では例として、タイミングＴ１において、メインチューナ２０１を用いた限定領域探索処理（図９のステップＳ２１に対応）と、サブチューナ２０２を用いた全領域探索処理（図１０のステップＳ３６に対応）とが同時に開始されたものとする。全領域探索処理より限定領域探索処理の方が設定されるパラメータ数が少ないため、全領域探索処理が終了する前に限定領域探索処理が終了する。例えばタイミングＴ２に１回目の限定領域探索処理が終了したものとすると、その処理結果を基に、Ｉ／Ｑ調整部２１１に対して最適なパラメータが設定される（図９のステップＳ２２に対応）。
【０１１８】
図１１の例では、全領域探索処理と、その処理に基づく限定領域テーブル２５０の更新処理（図１０のステップＳ３７に対応）とが終了するまでの期間（タイミングＴ１〜Ｔ７）に、さらに２回目の限定領域探索処理（タイミングＴ３〜Ｔ４）、３回目の限定領域探索処理（タイミングＴ５〜Ｔ６）が実行される。すなわち、図１１の例では、全領域探索処理および限定領域テーブル２５０の更新が１回実行される間に、Ｉ／Ｑ調整部２１１に対する最適なパラメータの設定が３回実行される。
【０１１９】
このように、ＴＶ視聴中では、メインチューナ２０１を用いて限定領域探索処理を実行し、処理時間がより長くなる全領域探索処理を、ＴＶ視聴に使用されていないサブチューナ２０２を用いて実行するようにしたことで、Ｉ／Ｑ調整部２１１のパラメータを最適化する間隔を短くすることができる。これにより、例えば、ノイズ源となる回路の動作状況や周囲の環境が急速に変化した場合でも、その変化に応じてＩ／Ｑ調整部２１１に設定するパラメータを補正することができ、高いノイズキャンセル効果を維持できるようになる。
【０１２０】
また、メインチューナ２０１を用いた限定領域探索処理では、ＴＶ視聴を正常に継続できると判定された範囲で、Ｉ／Ｑ調整部２１１に設定するパラメータが変化する。このため、ＴＶを安定的に視聴できる状態のまま、パラメータの最適化を短い周期で実行できる。
【０１２１】
なお、以上の第２の実施の形態では、限定領域テーブル２５０をキャンセル効果テーブル２４０とは別のテーブルとして設けた。しかしながら、限定領域テーブル２５０を使用せずに、キャンセル効果テーブル２４０において限定領域を示す情報を登録してもよい。例えば、キャンセル効果テーブル２４０において、ＩパラメータとＱパラメータとの各組み合わせに対してさらにフラグを登録する。テーブル設定部２２４は、キャンセル効果テーブル２４０に通信品質を登録したときに、その通信品質が所定のしきい値以上である場合には、対応するフラグを「１」にする一方、しきい値未満である場合には、対応するフラグを「０」にする。これにより、限定領域に含まれるＩパラメータとＱパラメータとの組み合わせを、フラグを基に判別できるようになる。
【０１２２】
〔第３の実施の形態〕
第３の実施の形態に係る情報処理装置は、第２の実施の形態に係る情報処理装置１００に対して、メインチューナ２０１、サブチューナ２０２、Ｉ／Ｑ調整部２１１，２１２のそれぞれに対する電源供給を必要に応じて停止する機能を追加したものである。このような機能の追加により、情報処理装置での消費電力を抑制する。
【０１２３】
図１２は、第３の実施の形態におけるＴＶチューナボードの内部構成例を示す図である。なお、図１２では、図４に対応する構成要素には同じ符号を付して示す。
図１２に示すＴＶチューナボード１０８には、図４に示したＴＶチューナボード１０８に対して、電源制御部２６０が追加されている。電源制御部２６０は、電源ユニット１１０から供給された電源電圧を、ＴＶチューナボード１０８内の各部に分配する。また、電源制御部２６０は、少なくとも、メインチューナ２０１、サブチューナ２０２、Ｉ／Ｑ調整部２１１およびＩ／Ｑ調整部２１２のそれぞれに対する電源供給を、Ｉ／Ｑ調整制御部２２１からの要求に応じて個別にオン／オフすることができる。
【０１２４】
さらに、キャンセル効果テーブル２４０の各レコード２４１には、図６に示した情報に加えて、最終更新日時が登録される。Ｉ／Ｑ調整制御部２２１は、キャンセル効果テーブル２４０に登録された最終更新日時や、通信品質のしきい値Ｔｈに基づいて、メインチューナ２０１、サブチューナ２０２、Ｉ／Ｑ調整部２１１およびＩ／Ｑ調整部２１２のそれぞれに対する電源供給を、必要に応じてオン／オフする。なお、しきい値Ｔｈは、例えば、メモリ２０５などの不揮発性記憶装置にあらかじめ記憶される。また、しきい値Ｔｈは、ユーザの入力操作に応じて変更可能であってもよい。
【０１２５】
図１３は、キャンセル効果テーブルに登録される情報の例を示す図である。
第２の実施の形態と同様に、キャンセル効果テーブル２４０には、チャネルごとのレコード２４１が設けられ、各レコード２４１には、ＩパラメータおよびＱパラメータの全組み合わせに対して通信品質が登録される。さらに、本実施の形態では、各レコード２４１に対して、そのレコード２４１全体の最終更新日時が登録される。
【０１２６】
以下、第３の実施の形態におけるＴＶチューナボード１０８によるパラメータ調整処理について、フローチャートを用いて説明する。
図１４は、メインチューナを用いた調整処理手順を示すフローチャートである。
【０１２７】
この図１４では、図９と同様の処理が行われる処理ステップについては同じステップ番号を付して示す。そして、図９と異なる処理についてのみ説明する。なお、図１４のフローチャートの初期状態では、メインチューナ２０１およびＩ／Ｑ調整部２１１に対して、電源制御部２６０からの電源が供給されていないものとする。
【０１２８】
まず、ステップＳ１１でＴＶ視聴中でないと判定し、かつ、ステップＳ１２で視聴中フラグが「１」であると判定した場合、Ｉ／Ｑ調整制御部２２１は、ステップＳ１３で視聴中フラグを「０」に更新した後、ステップＳ５１の処理を実行する。
【０１２９】
［ステップＳ５１］ステップＳ１２で視聴中フラグが「１」である状態とは、ＴＶ視聴が中止された直後の状態であり、メインチューナ２０１およびＩ／Ｑ調整部２１１への電源供給が停止されていない。このような状態において、Ｉ／Ｑ調整制御部２２１は、電源制御部２６０に、メインチューナ２０１およびＩ／Ｑ調整部２１１への電源供給を停止させる。この後、ステップＳ１４の処理が実行される。
【０１３０】
なお、ステップＳ１３，Ｓ５１の処理順は逆であってもよい。
また、Ｉ／Ｑ調整制御部２２１は、ステップＳ１４で受信可能チャネルを取得した後、ステップＳ５２の処理を実行する。
【０１３１】
［ステップＳ５２］Ｉ／Ｑ調整制御部２２１は、キャンセル効果テーブル２４０のレコード２４１のうち、受信可能チャネルに対応するレコード２４１から、最終更新日時を読み込む。
【０１３２】
［ステップＳ５３］Ｉ／Ｑ調整制御部２２１は、ステップＳ５２で最終更新日時を読み込んだレコード２４１のうち、更新すべきレコード２４１があるかを判定する。Ｉ／Ｑ調整制御部２２１は、ステップＳ５２で最終更新日時を読み込んだレコード２４１のうち、最終更新日時から所定の時間が経過しているレコード２４１を、更新すべきレコード２４１と判定する。
【０１３３】
Ｉ／Ｑ調整制御部２２１は、更新すべきレコード２４１があった場合には、ステップＳ５４を実行する。一方、Ｉ／Ｑ調整制御部２２１は、更新すべきレコード２４１がなかった場合（すなわち、すべての受信可能チャネルに対応するレコード２４１の最終更新日時から所定の時間が経過しておらず、これらのレコード２４１の登録情報が比較的新しい場合）には、ステップＳ５４，Ｓ１５ａ，Ｓ１６ａ，Ｓ５５の処理をスキップしてステップＳ１１の処理を実行する。
【０１３４】
［ステップＳ５４］Ｉ／Ｑ調整制御部２２１は、電源制御部２６０に、メインチューナ２０１およびＩ／Ｑ調整部２１１への電源供給を開始させる。
［ステップＳ１５ａ］Ｉ／Ｑ調整制御部２２１は、ステップＳ１４で取得した受信可能チャネルのうち、キャンセル効果テーブル２４０における対応するレコード２４１が所定の時間更新されていないチャネルについてのみ、メインチューナ２０１およびＩ／Ｑ調整部２１１を用いて全領域探索処理を実行する。テーブル設定部２２４は、全領域探索処理による通信品質の取得結果を基に、所定の時間更新されていないレコード２４１を更新する。また、テーブル設定部２２４は、１つのレコード２４１における通信品質を更新するごとに、更新したレコード２４１の最終更新日時も更新する。
【０１３５】
［ステップＳ１６ａ］テーブル設定部２２４は、ステップＳ１５ａで更新された、キャンセル効果テーブル２４０のレコード２４１を基に、限定領域テーブル２５０における同じチャネルに対応するレコード２５１を更新する。
【０１３６】
［ステップＳ５５］Ｉ／Ｑ調整制御部２２１は、電源制御部２６０に、メインチューナ２０１およびＩ／Ｑ調整部２１１への電源供給を停止させる。この後、ステップＳ１１の処理が実行される。
【０１３７】
なお、ステップＳ１６ａ，Ｓ５５の処理順は、逆であってもよい。
以上のように、ＴＶ視聴中でない状態では、キャンセル効果テーブル２４０の各レコード２４１の最終更新日時がチェックされる（ステップＳ５２）。そして、所定の時間だけ更新されていないレコード２４１があった場合のみ、そのレコード２４１に対応するチャネルについての全領域探索処理が実行される（ステップＳ１５ａ）。これにより、第２の実施の形態と比較して、メインチューナ２０１およびＩ／Ｑ調整部２１１を用いた全領域探索処理の実行回数が減少する。さらに、メインチューナ２０１およびＩ／Ｑ調整部２１１に対しては、これらを用いた全領域探索処理が実行される期間にのみ、電源が供給され、その他の期間では電源の供給が停止される。これにより、メインチューナ２０１およびＩ／Ｑ調整部２１１での消費電力が低減される。
【０１３８】
一方、ステップＳ１１でＴＶ視聴中であると判定した場合、Ｉ／Ｑ調整制御部２２１は、ステップＳ１８で視聴中フラグが「０」であると判定し、ステップＳ１９で視聴中フラグを「１」に更新した後、ステップＳ５６の処理を実行する。
【０１３９】
［ステップＳ５６］ステップＳ１８で視聴中フラグが「０」である状態とは、ＴＶ視聴が開始された直後の状態であり、メインチューナ２０１およびＩ／Ｑ調整部２１１に対して電源が供給されていない。このような状態において、Ｉ／Ｑ調整制御部２２１は、電源制御部２６０に、メインチューナ２０１およびＩ／Ｑ調整部２１１への電源供給を開始させる。その後、ステップＳ２０の処理が実行される。なお、ステップＳ１９の処理は、例えば、ステップＳ５６の次、またはステップＳ２０の次に実行されてもよい。
【０１４０】
なお、ＴＶ視聴中におけるその後の処理（ステップＳ２１，Ｓ２２）は、図９と同様である。
図１５は、サブチューナを用いた調整処理手順を示すフローチャートである。
【０１４１】
この図１５では、図１０と同様の処理が行われる処理ステップについては同じステップ番号を付して示す。そして、図１０と異なる処理についてのみ説明する。なお、図１５のフローチャートの初期状態では、サブチューナ２０２およびＩ／Ｑ調整部２１２に対して、電源制御部２６０からの電源が供給されていないものとする。
【０１４２】
まず、ステップＳ３１でＴＶ視聴中でないと判定し、ステップＳ３２で受信可能チャネルを取得した後、Ｉ／Ｑ調整制御部２２１はステップＳ６１の処理を実行する。
［ステップＳ６１］Ｉ／Ｑ調整制御部２２１は、図１４のステップＳ５２と同様の手順により、キャンセル効果テーブル２４０のレコード２４１のうち、受信可能チャネルに対応するレコード２４１から、最終更新日時を読み込む。
【０１４３】
［ステップＳ６２］Ｉ／Ｑ調整制御部２２１は、図１４のステップＳ５３と同様の手順により、ステップＳ６１で最終更新日時を読み込んだレコード２４１のうち、更新すべきレコード２４１があるかを判定する。Ｉ／Ｑ調整制御部２２１は、更新すべきレコード２４１があった場合には、ステップＳ６３を実行する。一方、Ｉ／Ｑ調整制御部２２１は、更新すべきレコード２４１がなかった場合（すなわち、すべての受信可能チャネルに対応するレコード２４１の最終更新日時から所定の時間が経過しておらず、これらのレコード２４１の登録情報が比較的新しい場合）には、ステップＳ６３，Ｓ３３ａ，Ｓ３４ａ，Ｓ６４の処理をスキップしてステップＳ３１の処理を実行する。
【０１４４】
［ステップＳ６３］Ｉ／Ｑ調整制御部２２１は、電源制御部２６０に、サブチューナ２０２およびＩ／Ｑ調整部２１２への電源供給を開始させる。
［ステップＳ３３ａ］Ｉ／Ｑ調整制御部２２１は、ステップＳ３２で取得した受信可能チャネルのうち、キャンセル効果テーブル２４０における対応するレコード２４１が所定の時間更新されていないチャネルについてのみ、サブチューナ２０２およびＩ／Ｑ調整部２１２を用いて全領域探索処理を実行する。テーブル設定部２２４は、全領域探索処理による通信品質の取得結果を基に、所定の時間更新されていないレコード２４１を更新する。また、テーブル設定部２２４は、１つのレコード２４１における通信品質を更新するごとに、更新したレコード２４１の最終更新日時も更新する。
【０１４５】
［ステップＳ３４ａ］テーブル設定部２２４は、ステップＳ３３ａで更新された、キャンセル効果テーブル２４０のレコード２４１を基に、限定領域テーブル２５０における同じチャネルに対応するレコード２５１を更新する。
【０１４６】
［ステップＳ６４］Ｉ／Ｑ調整制御部２２１は、電源制御部２６０に、サブチューナ２０２およびＩ／Ｑ調整部２１２への電源供給を停止させる。この後、ステップＳ３１の処理が実行される。
【０１４７】
なお、ステップＳ３４ａ，Ｓ６４の処理順は、逆であってもよい。
以上のように、ＴＶ視聴中でない状態では、キャンセル効果テーブル２４０の各レコード２４１の最終更新日時がチェックされる（ステップＳ６１）。そして、所定の時間だけ更新されていないレコード２４１があった場合のみ、そのレコード２４１に対応するチャネルについての全領域探索処理が実行される（ステップＳ３３ａ）。これにより、第２の実施の形態と比較して、サブチューナ２０２およびＩ／Ｑ調整部２１２を用いた全領域探索処理の実行回数が減少する。さらに、サブチューナ２０２およびＩ／Ｑ調整部２１２に対しては、これらを用いた全領域探索処理が実行される期間にのみ、電源が供給され、その他の期間では電源の供給が停止される。これにより、サブチューナ２０２およびＩ／Ｑ調整部２１２での消費電力が低減される。
【０１４８】
一方、ステップＳ３１でＴＶ視聴中であると判定した場合、Ｉ／Ｑ調整制御部２２１は、ステップＳ３５で視聴中のチャネルを取得した後、ステップＳ６５の処理を実行する。
［ステップＳ６５］Ｉ／Ｑ調整制御部２２１は、キャンセル効果テーブル２４０における視聴中のチャネルに対応するレコード２４１から、通信品質の最高値を取得する。
【０１４９】
［ステップＳ６６］Ｉ／Ｑ調整制御部２２１は、ステップＳ６５で抽出した通信品質の値が、しきい値Ｔｈ以上であるかを判定する。このしきい値Ｔｈは、例えば、ステップＳ３４ａで限定領域テーブル２５０に登録するか否かを判定する際に用いる通信品質のしきい値より高い値とされる。
【０１５０】
Ｉ／Ｑ調整制御部２２１は、抽出した通信品質の値がしきい値Ｔｈ以上である場合には、ステップＳ６７の処理を実行する一方、しきい値Ｔｈ未満である場合には、ステップＳ６９の処理を実行する。
【０１５１】
［ステップＳ６７］Ｉ／Ｑ調整制御部２２１は、キャンセル効果テーブル２４０のレコード２４１のうち、視聴中のチャネルに対応するレコード２４１から、最終更新日時を読み込む。
【０１５２】
［ステップＳ６８］Ｉ／Ｑ調整制御部２２１は、キャンセル効果テーブル２４０および限定領域テーブル２５０のそれぞれにおける、視聴中のチャネルに対応するレコード２４１，２５１を更新する必要があるかを判定する。Ｉ／Ｑ調整制御部２２１は、ステップＳ６７で取得した最終更新日時から所定の時間が経過している場合に、各レコードの更新が必要であると判定する。
【０１５３】
Ｉ／Ｑ調整制御部２２１は、各レコードを更新する必要がある場合には、ステップＳ６９の処理を実行する。一方、Ｉ／Ｑ調整制御部２２１は、各レコードの最終更新日時から所定の時間が経過していないために、各レコードを更新する必要がない場合には、ステップＳ６９，３６ａ，Ｓ３７，Ｓ７０をスキップして、ステップＳ３１の処理を実行する。
【０１５４】
［ステップＳ６９］Ｉ／Ｑ調整制御部２２１は、電源制御部２６０に、サブチューナ２０２およびＩ／Ｑ調整部２１２への電源供給を開始させる。
［ステップＳ３６ａ］Ｉ／Ｑ調整制御部２２１は、図１０のステップＳ３６と同様の手順により、視聴中のチャネルについて、サブチューナ２０２およびＩ／Ｑ調整部２１２を用いて全領域探索処理を実行する。そして、Ｉ／Ｑ調整制御部２２１は、テーブル設定部２２４に視聴中のチャネルを通知して、キャンセル効果テーブル２４０における視聴中のチャネルに対応するレコード２４１を更新させる。
【０１５５】
このようなステップＳ３６の処理に加えて、Ｉ／Ｑ調整制御部２２１は、キャンセル効果テーブル２４０のレコード２４１に登録されたすべての通信品質を更新した後、そのレコード２４１の最終更新日時も更新する。
【０１５６】
この後、ステップＳ３７において、テーブル設定部２２４は、キャンセル効果テーブル２４０における更新されたレコード２４１に基づいて、限定領域テーブル２５０における視聴中のチャネルに対応するレコード２５１を更新する。なお、ステップＳ３７での更新処理が完了したときに、キャンセル効果テーブル２４０のレコード２４１における最終更新日時が更新されてもよい。
【０１５７】
［ステップＳ７０］Ｉ／Ｑ調整制御部２２１は、電源制御部２６０に、サブチューナ２０２およびＩ／Ｑ調整部２１２への電源供給を停止させる。この後、ステップＳ３１の処理が実行される。
【０１５８】
以上のように、ＴＶ視聴中の状態において、通信品質がしきい値Ｔｈ未満であり、ＴＶ視聴の安定性が低下していると考えられる場合（ステップＳ６６）、Ｉ／Ｑ調整制御部２２１は、サブチューナ２０２およびＩ／Ｑ調整部２１２を用いた全領域探索処理（ステップＳ３６ａ）を無条件に実行する。また、通信品質がしきい値Ｔｈ以上であっても、視聴中のチャネルに対応するテーブルが所定の時間更新されていない場合にも（ステップＳ６８）、Ｉ／Ｑ調整制御部２２１は、サブチューナ２０２およびＩ／Ｑ調整部２１２を用いた全領域探索処理（ステップＳ３６ａ）を実行する。これらの処理により、ノイズキャンセル効果が維持され、ＴＶ視聴を安定的に継続できるようになる。
【０１５９】
一方、通信品質がしきい値Ｔｈ以上であり、かつ、視聴中のチャネルに対応するテーブルの更新から所定の時間が経過していない場合、Ｉ／Ｑ調整制御部２２１は、サブチューナ２０２およびＩ／Ｑ調整部２１２を用いた全領域探索処理（ステップＳ３６ａ）をスキップする。これにより、第２の実施の形態と比較して、サブチューナ２０２およびＩ／Ｑ調整部２１２を用いた全領域探索処理の実行回数が減少する。
【０１６０】
さらに、サブチューナ２０２およびＩ／Ｑ調整部２１２に対しては、これらを用いた全領域探索処理が実行される期間にのみ、電源が供給され、その他の期間では電源の供給が停止される。これにより、ＴＶ視聴を安定的に継続しながら、サブチューナ２０２およびＩ／Ｑ調整部２１２での消費電力を低減することもできる。
【０１６１】
なお、図１５の処理は、次のように変形することもできる。
例えば、テーブルの最終更新日時を参照しないような処理手順とすることができる。具体的には、ステップＳ６６で通信品質がしきい値Ｔｈ以上と判定した場合、Ｉ／Ｑ調整制御部２２１は、ステップＳ６７，Ｓ６８を実行せずに、ステップＳ３１の処理を実行する。なお、この場合には、ステップＳ６１，Ｓ６２の処理がスキップされてもよい。このような処理手順によれば、ＴＶ視聴中に通信状態が安定している場合には、サブチューナ２０２およびＩ／Ｑ調整部２１２を用いた全領域探索処理が、無条件にスキップされる。
【０１６２】
また、逆に、通信品質としきい値Ｔｈとの比較を行わないような処理手順とすることもできる。具体的には、ステップＳ６５，Ｓ６６の処理を削除して、ステップＳ３５，Ｓ６７の順に処理を行う。この場合には、ステップＳ６８でテーブル更新の必要がない場合に、サブチューナ２０２およびＩ／Ｑ調整部２１２を用いた全領域探索処理がスキップされる。
【０１６３】
上記のいずれの変形例の場合でも、ＴＶの視聴中には、サブチューナ２０２およびＩ／Ｑ調整部２１２を用いた全領域探索処理を実行する必要がないと考えられる場合には、この処理がスキップされる。これにより、ＴＶ視聴を安定的に継続しながら、サブチューナ２０２およびＩ／Ｑ調整部２１２での消費電力を低減することができる。
【０１６４】
〔第４の実施の形態〕
上記の第３の実施の形態では、ＴＶ視聴中において、通信品質が安定しており、かつ、視聴中のチャネルに対応するテーブルの更新が必要でない場合には、視聴中のチャネルについてのサブチューナ２０２およびＩ／Ｑ調整部２１２を用いた全領域探索処理が停止される。これに対して、以下の第４の実施の形態では、通信品質が安定しており、かつ、視聴中のチャネルに対応するテーブルの更新が必要でない場合には、サブチューナ２０２およびＩ／Ｑ調整部２１２を用いて、受信可能な全チャネルについての全領域探索処理が実行される。これにより、視聴中に視聴するチャネルが変更された場合でも、その変更直後からＩ／Ｑ調整部２１１に対して適切なパラメータが即座に設定されるようにする。
【０１６５】
なお、第４の実施の形態においては、ＴＶチューナボードは図１２と同様の構成で実現可能である。そこで、以下の説明では、図１２に示した符号を用いて説明を行う。また、第４の実施の形態では、メインチューナ２０１を用いた調整処理は、図１４と同様に実行される。
【０１６６】
図１６は、第４の実施の形態における、サブチューナを用いた調整処理手順を示すフローチャートである。なお、図１６では、図１５と同様の処理が実行される処理ステップには、同じステップ番号を付して示す。そして、図１５と異なる処理についてのみ説明する。なお、図１６のフローチャートの初期状態では、サブチューナ２０２およびＩ／Ｑ調整部２１２に対して、電源制御部２６０からの電源が供給されていないものとする。
【０１６７】
図１６において、ＴＶ視聴中でない状態での処理手順は、図１５と同様である。一方、ＴＶ視聴中の状態では、図１５のステップＳ６８の代わりに、ステップＳ６８ａが実行される。
【０１６８】
［ステップＳ６８ａ］Ｉ／Ｑ調整制御部２２１は、図１５のステップＳ６８と同様に、キャンセル効果テーブル２４０および限定領域テーブル２５０のそれぞれにおける、視聴中のチャネルに対応するレコード２４１，２５１を更新する必要があるかを判定する。Ｉ／Ｑ調整制御部２２１は、ステップＳ６７で取得した最終更新日時から所定の時間が経過している場合に、各レコードの更新が必要であると判定する。Ｉ／Ｑ調整制御部２２１は、各レコードを更新する必要がある場合には、ステップＳ６９の処理を実行する。
【０１６９】
一方、Ｉ／Ｑ調整制御部２２１は、各レコードの最終更新日時から所定の時間が経過していないために、各レコードを更新する必要がない場合には、ステップＳ３２の処理を実行する。この場合、Ｉ／Ｑ調整制御部２２１は、現在位置で受信可能なチャネルを取得し（ステップＳ３２）、取得したチャネルに対応するテーブルの最終更新日時から、それらのテーブルの中に更新すべきテーブルがあるかを判定する（ステップＳ６１，Ｓ６２）。
【０１７０】
そして、更新すべきテーブルがある場合には、Ｉ／Ｑ調整制御部２２１は、サブチューナ２０２およびＩ／Ｑ調整部２１２に対する電源供給を開始させ（ステップＳ６３）、サブチューナ２０２およびＩ／Ｑ調整部２１２を用いて、更新すべきテーブルに対応するチャネルについての全領域探索処理を実行する（ステップＳ３３ａ）。これにより、更新すべきと判定されたキャンセル効果テーブル２４０のレコード２４１および限定領域テーブル２５０のレコード２５１が更新される（ステップＳ３４ａ）。その後、サブチューナ２０２およびＩ／Ｑ調整部２１２への電源供給が停止されて（ステップＳ６４）、ステップＳ３１の処理が実行される。
【０１７１】
なお、ステップＳ６８ａからステップＳ３２，Ｓ６１の順に実行された場合、ステップＳ３２では、Ｉ／Ｑ調整制御部２２１は、視聴中のチャネル以外の受信可能なチャネルを取得して、それ以後の処理を実行してもよい。
【０１７２】
以上の処理では、通信品質が安定していると推定され、かつ、視聴中のチャネルに対応するテーブルの更新が必要でない場合には、サブチューナ２０２およびＩ／Ｑ調整部２１２を用いて、受信可能な全チャネルのうちテーブルの更新が必要なチャネルについての全領域探索処理が実行される。そして、視聴中のチャネル以外のチャネルに対応する、キャンセル効果テーブル２４０のレコード２４１および限定領域テーブル２５０のレコード２５１が更新される。
【０１７３】
これにより、ＴＶ視聴中の状態でも、視聴中のチャネルについての通信品質が安定している場合には、視聴中のチャネルに対応するキャンセル効果テーブル２４０のレコード２４１および限定領域テーブル２５０のレコード２５１が定期的に更新されるだけでなく、視聴中以外のチャネルに対応するキャンセル効果テーブル２４０のレコード２４１および限定領域テーブル２５０のレコード２５１も、定期的に更新される。従って、もし、視聴するチャネルが変更された場合でも、Ｉ／Ｑ調整部２１１は、変更後のチャネルに対応するキャンセル効果テーブル２４０のレコード２４１および限定領域テーブル２５０のレコード２５１を基に、Ｉ／Ｑ調整部２１１に対する最適なパラメータを短時間に設定できるようになる。
【０１７４】
なお、図１６の処理は、次のように変形することもできる。
例えば、テーブルの最終更新日時を参照しないような処理手順とすることができる。具体的には、ステップＳ６６で通信品質がしきい値Ｔｈ以上と判定した場合、Ｉ／Ｑ調整制御部２２１は、ステップＳ６７，Ｓ６８ａを実行せずに、ステップＳ３２の処理を実行する。なお、この場合には、ステップＳ６１，Ｓ６２の処理がスキップされてもよい。このような処理手順によれば、ＴＶ視聴中に通信状態が安定している場合には、受信可能なチャネルについての全領域探索処理が、サブチューナ２０２およびＩ／Ｑ調整部２１２を用いて実行される。
【０１７５】
また、逆に、通信品質としきい値Ｔｈとの比較を行わないような処理手順とすることもできる。具体的には、ステップＳ６５，Ｓ６６の処理を削除して、ステップＳ３５，Ｓ６７の順に処理を行う。この場合には、視聴中のチャネルについてのサブチューナ２０２を用いた全領域探索処理（ステップＳ３６ａ）が実行された後、次の同チャネルについての全領域探索処理が実行されるまでの期間に、受信可能なチャネルについてのサブチューナ２０２を用いた全領域探索処理（ステップＳ３３ａ）が実行される。
【０１７６】
上記のいずれの変形例でも、ＴＶ視聴中に、サブチューナ２０２を用いて、視聴中のチャネルだけでなく、その他の受信可能なチャネルについてのキャンセル効果テーブル２４０のレコード２４１および限定領域テーブル２５０のレコード２５１を、更新することができる。従って、視聴するチャネルを変更した場合でも、Ｉ／Ｑ調整部２１１に設定するパラメータを短時間で最適化できる。
【０１７７】
なお、以上の第２〜第４の実施の形態では、複数のチャネルに切り替え可能なチューナ装置として、ＴＶチューナが搭載されたＴＶチューナボードについて説明したが、他の種類のチューナ装置に対して、上記のＴＶチューナボードでの処理を適用することもできる。例えば、複数の周波数帯域で通信可能な無線ＬＡＮ（Local Area Network）の通信モジュールに、上記のＴＶチューナボードでの処理を適用することができる。なお、このような無線ＬＡＮモジュールが搭載された機器としては、ＰＣなどの情報処理装置や、アクセスポイント機器などがある。あるいは、複数の周波数帯域で通信可能な携帯電話の無線モジュールに、上記のＴＶチューナボードでの処理を適用することもできる。
【０１７８】
以上の各実施の形態に関し、さらに以下の付記を開示する。
（付記１）  第１のアンテナおよび第２のアンテナと、
前記第１のアンテナによって受信された信号をそれぞれ処理する第１の受信部および第２の受信部と、
前記第１のアンテナから前記第１の受信部および前記第２の受信部のそれぞれに入力される信号に対して、前記第２のアンテナによって受信された信号の位相と振幅を調整して加算する第１の信号加算部および第２の信号加算部と、
前記第２の信号加算部での位相と振幅を調整する調整パラメータを変化させながら、前記第２の受信部での受信動作品質を取得し、取得した受信動作品質を基に前記第１の信号加算部の調整パラメータを設定する制御部と、
を有することを特徴とする情報処理装置。
【０１７９】
（付記２）  前記制御部は、
前記第１の信号加算部の調整パラメータを変化させながら前記第１の受信部での受信動作品質を取得する第１の探索処理を実行して、前記第１の探索処理において受信動作品質が最も高くなったときの調整パラメータによって、前記第１の信号加算部の調整パラメータを更新するとともに、
前記第２の信号加算部の調整パラメータを前記第１の探索処理よりも大きい範囲で変化させながら前記第２の受信部での受信動作品質を取得する第２の探索処理を実行して、前記第１の探索処理において前記第１の信号加算部の調整パラメータを変化させる範囲を、前記第２の探索処理において受信動作品質が最も高くなったときの調整パラメータを含む範囲に設定する、
ことを特徴とする付記１記載の情報処理装置。
【０１８０】
（付記３）  前記制御部は、前記第２の探索処理において受信動作品質が所定値以上になったときの調整パラメータ群を、前記第１の探索処理において前記第１の信号加算部の調整パラメータを変化させる範囲として設定することを特徴とする付記２記載の情報処理装置。
【０１８１】
（付記４）  前記制御部は、前記第１の探索処理によって取得した受信動作品質の最高値が所定の下限しきい値以上である場合には、前記第２の探索処理を停止することを特徴とする付記２または３記載の情報処理装置。
【０１８２】
（付記５）  前記制御部は、前記第１の探索処理を実行して前記第１の信号加算部の調整パラメータを更新してから一定時間が経過していない場合には、前記第２の探索処理を停止することを特徴とする付記２または３記載の情報処理装置。
【０１８３】
（付記６）  前記制御部は、
前記第１の探索処理によって取得した受信動作品質の最高値が所定の下限しきい値以上である場合には、前記第１の受信部が受信中の第１の受信チャネルとは異なる第２の受信チャネルを前記第２の受信部に受信させて、前記第２の信号加算部の調整パラメータを変化させながら前記第２の受信部での受信動作品質を取得する第３の探索処理を実行し、
前記第３の探索処理において受信動作品質が最も高くなったときの調整パラメータを記憶部に登録し、
前記第１の受信部が受信する受信チャネルが前記第２の受信チャネルに切り替えられたとき、前記記憶部に登録された調整パラメータを前記第１の信号加算部の調整パラメータとして設定する、
ことを特徴とする付記２または３記載の情報処理装置。
【０１８４】
（付記７）  前記制御部は、
前記第１の探索処理を実行して前記第１の信号加算部の調整パラメータを更新してから一定時間が経過していない場合には、前記第１の受信部が受信中の第１の受信チャネルとは異なる第２の受信チャネルを前記第２の受信部に受信させて、前記第２の信号加算部の調整パラメータを変化させながら前記第２の受信部での受信動作品質を取得する第３の探索処理を実行し、
前記第３の探索処理において受信動作品質が最も高くなったときの調整パラメータを記憶部に登録し、
前記第１の受信部が受信する受信チャネルが前記第２の受信チャネルに切り替えられたとき、前記記憶部に登録された調整パラメータを前記第１の信号加算部の調整パラメータとして設定する、
ことを特徴とする付記２または３記載の情報処理装置。
【０１８５】
（付記８）  第１のアンテナによって受信された信号をそれぞれ処理する第１の受信部および第２の受信部と、
前記第１のアンテナから前記第１の受信部および前記第２の受信部のそれぞれに入力される信号に対して、第２のアンテナによって受信された信号の位相と振幅を調整して加算する第１の信号加算部および第２の信号加算部と、
前記第２の信号加算部での位相と振幅を調整する調整パラメータを変化させながら、前記第２の受信部での受信動作品質を取得し、取得した受信動作品質を基に前記第１の信号加算部の調整パラメータを設定する制御部と、
を有することを特徴とするチューナ装置。
【０１８６】
（付記９）  前記制御部は、
前記第１の信号加算部の調整パラメータを変化させながら前記第１の受信部での受信動作品質を取得する第１の探索処理を実行して、前記第１の探索処理において受信動作品質が最も高くなったときの調整パラメータによって、前記第１の信号加算部の調整パラメータを更新するとともに、
前記第２の信号加算部の調整パラメータを前記第１の探索処理よりも大きい範囲で変化させながら前記第２の受信部での受信動作品質を取得する第２の探索処理を実行して、前記第１の探索処理において前記第１の信号加算部の調整パラメータを変化させる範囲を、前記第２の探索処理において受信動作品質が最も高くなったときの調整パラメータを含む範囲に設定する、
ことを特徴とする付記８記載のチューナ装置。
【０１８７】
（付記１０）  前記制御部は、前記第２の探索処理において受信動作品質が所定値以上になったときの調整パラメータ群を、前記第１の探索処理において前記第１の信号加算部の調整パラメータを変化させる範囲として設定することを特徴とする付記９記載のチューナ装置。
【０１８８】
（付記１１）  前記制御部は、前記第１の探索処理によって取得した受信動作品質の最高値が所定の下限しきい値以上である場合には、前記第２の探索処理を停止することを特徴とする付記９または１０記載のチューナ装置。
【０１８９】
（付記１２）  前記制御部は、前記第１の探索処理を実行して前記第１の信号加算部の調整パラメータを更新してから一定時間が経過していない場合には、前記第２の探索処理を停止することを特徴とする付記９または１０記載のチューナ装置。
【０１９０】
（付記１３）  前記制御部は、
前記第１の探索処理によって取得した受信動作品質の最高値が所定の下限しきい値以上である場合には、前記第１の受信部が受信中の第１の受信チャネルとは異なる第２の受信チャネルを前記第２の受信部に受信させて、前記第２の信号加算部の調整パラメータを変化させながら前記第２の受信部での受信動作品質を取得する第３の探索処理を実行し、
前記第３の探索処理において受信動作品質が最も高くなったときの調整パラメータを記憶部に登録し、
前記第１の受信部が受信する受信チャネルが前記第２の受信チャネルに切り替えられたとき、前記記憶部に登録された調整パラメータを前記第１の信号加算部の調整パラメータとして設定する、
ことを特徴とする付記９または１０記載のチューナ装置。
【０１９１】
（付記１４）  アンテナによって受信された信号を処理する第１の受信部および第２の受信部を備えた情報処理装置における通信制御方法であって、
前記情報処理装置が備える第１の信号加算部および第２の信号加算部が、第１のアンテナから前記第１の受信部および前記第２の受信部のそれぞれに入力される信号に対して、第２のアンテナによって受信された信号の位相と振幅を調整してそれぞれ加算し、
前記情報処理装置が備える制御部が、前記第２の信号加算部での位相と振幅を調整する調整パラメータを変化させながら、前記第２の受信部での受信動作品質を取得し、取得した受信動作品質を基に前記第１の信号加算部の調整パラメータを設定する、
ことを特徴とする通信制御方法。
【０１９２】
（付記１５）  前記制御部は、前記第１の信号加算部の調整パラメータを変化させながら前記第１の受信部での受信動作品質を取得する第１の探索処理を実行して、前記第１の探索処理において受信動作品質が最も高くなったときの調整パラメータによって、前記第１の信号加算部の調整パラメータを更新するとともに、前記第２の信号加算部の調整パラメータを前記第１の探索処理よりも大きい範囲で変化させながら前記第２の受信部での受信動作品質を取得する第２の探索処理を実行して、前記第１の探索処理において前記第１の信号加算部の調整パラメータを変化させる範囲を、前記第２の探索処理において受信動作品質が最も高くなったときの調整パラメータを含む範囲に設定することを特徴とする付記１４記載の通信制御方法。
【０１９３】
（付記１６）  前記制御部は、前記第２の探索処理において受信動作品質が所定値以上になったときの調整パラメータ群を、前記第１の探索処理において前記第１の信号加算部の調整パラメータを変化させる範囲として設定することを特徴とする付記１５記載の通信制御方法。
【０１９４】
（付記１７）  前記制御部は、前記第１の探索処理によって取得した受信動作品質の最高値が所定の下限しきい値以上である場合には、前記第２の探索処理を停止することを特徴とする付記１５または１６記載の通信制御方法。
【０１９５】
（付記１８）  前記制御部は、前記第１の探索処理を実行して前記第１の信号加算部の調整パラメータを更新してから一定時間が経過していない場合には、前記第２の探索処理を停止することを特徴とする付記１５または１６記載の通信制御方法。
【０１９６】
（付記１９）  前記制御部は、
前記第１の探索処理によって取得した受信動作品質の最高値が所定の下限しきい値以上である場合には、前記第１の受信部が受信中の第１の受信チャネルとは異なる第２の受信チャネルを前記第２の受信部に受信させて、前記第２の信号加算部の調整パラメータを変化させながら前記第２の受信部での受信動作品質を取得する第３の探索処理を実行し、
前記第３の探索処理において受信動作品質が最も高くなったときの調整パラメータを前記情報処理装置の記憶部に登録し、
前記第１の受信部が受信する受信チャネルが前記第２の受信チャネルに切り替えられたとき、前記記憶部に登録された調整パラメータを前記第１の信号加算部の調整パラメータとして設定する、
ことを特徴とする付記１５または１６記載の通信制御方法。
【０１９７】
（付記２０）  前記制御部は、
前記第１の探索処理を実行して前記第１の信号加算部の調整パラメータを更新してから一定時間が経過していない場合には、前記第１の受信部が受信中の第１の受信チャネルとは異なる第２の受信チャネルを前記第２の受信部に受信させて、前記第２の信号加算部の調整パラメータを変化させながら前記第２の受信部での受信動作品質を取得する第３の探索処理を実行し、
前記第３の探索処理において受信動作品質が最も高くなったときの調整パラメータを前記情報処理装置の記憶部に登録し、
前記第１の受信部が受信する受信チャネルが前記第２の受信チャネルに切り替えられたとき、前記記憶部に登録された調整パラメータを前記第１の信号加算部の調整パラメータとして設定する、
ことを特徴とする付記１５または１６記載の通信制御方法。
【符号の説明】
【０１９８】
１  情報処理装置
１１，１２  アンテナ
１３，１４  受信部
１５，１６  信号加算部
１７  制御部
２１  ノイズ発生源
【図１】
2013051528.tif 000003
【図２】
2013051528.tif 000004
【図３】
2013051528.tif 000005
【図４】
2013051528.tif 000006
【図５】
2013051528.tif 000007
【図６】
2013051528.tif 000008
【図７】
2013051528.tif 000009
【図８】
2013051528.tif 000010
【図９】
2013051528.tif 000011
【図１０】
2013051528.tif 000012
【図１１】
2013051528.tif 000013
【図１２】
2013051528.tif 000014
【図１３】
2013051528.tif 000015
【図１４】
2013051528.tif 000016
【図１５】
2013051528.tif 000017
【図１６】
2013051528.tif 000018